(57)【要約】【課題】被覆物の除去作業を効率化する。【解決手段】フロア２０及びフロア２０に通じるエレベーター５０の昇降路５４を区画養生することで、複数のフロア２０で除去されたアスベストＡＳを、エレベーター５０を利用して（昇降路５４を介して）、地下ヤード１２に運搬し集約することができる。そして、アスベストＡＳが集約された地下ヤード１２で、アスベストＡＳを産廃用の袋１００に詰めて密閉する袋詰め作業を行う。よって、アスベストＡＳが除去されたフロア２０の区画管理を早期に解除することができる。したがって、例えば、各フロア２０でアスベストＡＳを産廃用の袋１００に詰めて密閉する袋詰め作業を行う場合と比べ、アスベストＡＳの除去作業が効率化される。【選択図】図１
2015124480.tif 000002
【特許請求の範囲】
【請求項１】
多層構造物におけるフロアと前記フロアに通じるエレベーターの昇降路とを区画養生する区画養生工程と、
前記区画養生された前記フロアの被覆物を除去する被覆物除去工程と、
複数の前記フロアで除去された前記被覆物を、前記フロアの少なくとも一つに、前記昇降路を介して運搬し集約する被覆物集約工程と、
前記被覆物が集約された前記フロアで、前記被覆物を袋又は容器に詰めて密閉する密閉工程と、
を備える被覆物の除去方法。
【請求項２】
前記被覆物除去工程は、複数の前記フロアで同時に行う、
請求項１に記載の被覆物の除去方法。
【請求項３】
前記フロアに通じる前記昇降路の出入口を養生する養生部材は、開閉可能となっている、
請求項１又は請求項２に記載の被覆物の除去方法。
【発明の詳細な説明】
【技術分野】
【０００１】
本発明は、被覆物の除去方法に関する。
【背景技術】
【０００２】
建築資材などに使われていた有害廃棄物、例えばアスベスト（石綿）などの除去が行われている。このような建築物におけるアスベストを除去する際には、アスベスト粉塵（石綿粉塵）が外部に漏洩しないように作業を行うことが求められる。このため、アスベストの除去作業を行う際には、アスベスト粉塵（石綿粉塵）が外部に漏洩しないように室内やエレベーターシャフトをそれぞれ養生し区画管理している（例えば、特許文献１〜特許文献４を参照）。
【０００３】
ここで、多層構造物（高層ビル等）の場合、フロア毎に養生して区画管理し、区画管理された状態でアスベストを除去する。そして、除去したアスベストを各フロアで産廃処理用の袋詰めを行い搬出している。したがって、各フロアでのアスベストの袋詰め養生作業が完了するまで、各フロアの区画管理を解除することができない。よって、アスベストなどの被覆物の除去作業を効率化することが望まれている。
【先行技術文献】
【特許文献】
【０００４】
【特許文献１】特開２０１３−５３５１５号公報
【特許文献２】特開２０１３−１９４４２９号公報
【特許文献３】特開２００９−９１０８２号公報
【特許文献４】特開２００９−２６３１１４号公報
【発明の概要】
【発明が解決しようとする課題】
【０００５】
本発明は、上記事実を鑑み、被覆物の除去作業を効率化することが課題である。
【課題を解決するための手段】
【０００６】
請求項１の発明は、多層構造物におけるフロアと前記フロアに通じるエレベーターの昇降路とを区画養生する区画養生工程と、前記区画養生された前記フロアの被覆物を除去する被覆物除去工程と、複数の前記フロアで除去された前記被覆物を、前記フロアの少なくとも一つに、前記昇降路を介して運搬し集約する被覆物集約工程と、前記被覆物が集約された前記フロアで、前記被覆物を袋又は容器に詰めて密閉する密閉工程と、を備える。
【０００７】
請求項１に記載の発明では、多層構造物におけるフロア及びフロアに通じるエレベーターの昇降路を区画養生することで、複数のフロアの被覆物をエレベーターの昇降路を介して、フロアの少なくとも一つに運搬し集約することができる。そして、被覆物が集約されたフロアで、被覆物を袋又は容器に詰めて密閉する。
【０００８】
よって、例えば、被覆物が除去されたフロアの区画管理を早期に解除することができる。したがって、例えば、各フロアで被覆物の袋詰めを行う場合と比較し、被覆物の除去作業が効率化される。
【０００９】
請求項２の発明は、前記被覆物除去工程は、複数の前記フロアで同時に行う。
【００１０】
請求項２に記載の発明では、複数のフロアで被覆物の除去作業を同時に行うので、被覆物の除去作業が更に効率化される。
【００１１】
請求項３の発明は、前記フロアに通じる前記昇降路の出入口を養生する養生部材は、開閉可能となっている。
【００１２】
請求項３に記載の発明では、フロアに通じる昇降路の出入口を養生する養生部材は、開閉可能となっているので、出入りが容易である。
【発明の効果】
【００１３】
本発明によれば、被覆物の除去作業を効率化することができる。
【図面の簡単な説明】
【００１４】
【図１】高層ビルの上層のフロアのアスベストの除去を行っている様子を模式的に示す縦断面図である。
【図２】図１のアスベストの除去を行っているフロアを模式的に示す水平断面図である。
【図３】エレバーターの出入口を養生する養生シートを示す斜視図である。
【図４】図１のフロアのアスベストの除去が終了し、その下層のフロアのアスベストの除去を行っている様子を模式的に示す縦断面図である。
【発明を実施するための形態】
【００１５】
本発明の被覆物の除去方法について図面を説明する。
［構造ビル］
まず、本発明を適用して被覆物の一例としてのアスベストを除去する多層構造物の一例としての高層ビル１０について説明する。
【００１６】
図１に示すように高層ビル１０は、地下ヤード（地下のフロア）１２と地上の複数のフロア２０とを含む多層構造の建物である。なお、地上階の各フロア２０は、上層から順番に符号２０にＡ、Ｂ、Ｃ、Ｄを付して区別する場合がある。
【００１７】
高層ビル１０には、エレベーター５０が設置されている。また、高層ビル１０の各フロア２０は、エレベーターホールとして機能する（図２も参照）。
【００１８】
エレベーター５０は、人や物を運搬するためのカゴ（ケージ）５２を有し、出入り口となる左右にスライドして開閉する開閉ドア５５が設けられている。このカゴ５２は、昇降路（エレベータシャフト）５４に設置されている。昇降路５４の上側には、機械室５８が設けられ、この機械室５８には、巻上装置５６が設置されている。また、昇降路５４の下部は、エレベータピット１５となっている。
【００１９】
カゴ５２は、ワイヤーロープ５１によって、カゴ５２とほぼ同様の重量のカウンターウェイト５３に繋がれている。ワイヤーロープ５１は、巻上装置５６の滑車５７に巻き掛けられており、滑車５７が回転することでカゴ５２とカウンターウェイト５３とが上下方向に移動するように構成されている。
【００２０】
図１及び図２に示すように、昇降路５４は、外周部がコンクリート製の側壁６０によって囲まれている。四方の側壁６０の一つを構成し、エレベーター５０のカゴ５２の開閉ドア５５に対向する側壁６２には、フロア２０毎に出入口６４が形成されられている。また、各出入口６４には、左右にスライドして開閉する開閉扉６６が設けられている。よって開閉扉６６が開くと、昇降路５４と各フロア２０とが連通された状態になる。
【００２１】
図２に示すように、各フロア２０の壁２２は、複数の窓２４が設けられている。また、各フロア２０の壁２２には、耐火被覆材としてのアスベストＡＳが吹き付けられ、被覆されている。
【００２２】
［アスベストの除去］
つぎに、本発明の被覆物の除去方法を用いた各フロア２０のアスベストＡＳの除去について説明する。
【００２３】
図１〜図３に示すように、アスベストＡＳを除去するフロア２０Ａ，２０Ｂのエレベーター５０の出入口６４の前に風除室７４を設置し養生（マスキング）する。また、図３に示すように、風除室７４の前面を構成する養生シート７０には、幅方向の中央部に上下方向に沿ってファスナー７２が設けられ、開閉可能となっている。
【００２４】
また、図１及び図２に示すように、アスベストＡＳを除去するフロア２０の窓２４や図示してない換気口等を養生シート８０で養生（マスキング）する。本実施形態では、図１に示すように、まず上層の二つのフロア２０Ａとフロア２０Ｂとを養生する。更に、地下ヤード１２及びエレベータピット１５の直上階の機械室５８も養生シート８０で図示していない換気口や出入口などを養生する。
【００２５】
なお、アスベストＡＳを除去しないフロア２０のエレベーター５０の出入口６４の開閉扉６６は、開閉しないように閉じた状態で固定し、昇降路５４と連通されていない状態とする。ただし、地下ヤード１２の開閉扉６６は、固定しない。
【００２６】
よって、フロア２０Ａ、２０Ｂ、地下ヤード１２、機械室５８、及びフロア２０Ａ，２０Ｂに通じるエレベーター５０の昇降路５４が、区画養生された状態となる。
【００２７】
また、フロア２０Ａ、２０Ｂと地下ヤード１２とに、負圧除塵装置９０を設置する。そして、これら負圧除塵装置９０を作動させることで、区画養生されたフロア２０Ａ，２０Ｂ及び昇降路５４が、外気に対して負圧の状態となる。
【００２８】
養生され負圧状態となったフロア２０Ａ，２０Ｂで、アスベストＡＳを剥離して除去する。除去したアスベストＡＳは、ボックス状の台車１０２に積み、台車１０２をエレベーター５０のカゴ５２に乗せて地下ヤード１２に運搬する。なお、エレベーター５０の出入口６４を養生している風除室７４の養生シート７０は、台車１０２をエレベーター５０のカゴ５２に乗せて地下ヤード１２に運搬する際に開閉する。
【００２９】
図４に示すように、アスベストＡＳを剥離し除去が完了したフロア２０Ａ，２０Ｂのエレベーター５０の出入口６４の開閉扉６６を開閉しないように閉じた状態で固定し、昇降路５４と連通されていない状態とし、風除室７４及び養生シート８０を撤去する。
【００３０】
また、フロア２０Ｂの下層のフロア２０Ｃ及びフロア２０Ｄの出入口６４の前に風除室７４を設置し養生（マスキング）する。また、フロア２０Ｃ及びフロア２０Ｄの窓２４や図示してない換気口等を養生シート８０で養生し、負圧除塵装置９０（図１及び図２参照）を設置する。そして、負圧除塵装置９０を作動させることで、区画養生されたフロア２０Ｃ，２０Ｄ及び昇降路５４が、外気に対して負圧の状態となる。
【００３１】
養生が完了し負圧状態となったフロア２０Ｃ，２０Ｄで、同様にアスベストＡＳを剥離して除去する。除去したアスベストＡＳは、台車１０２に積みエレベーター５０のカゴ５２に乗せて地下ヤード１２に運搬する。
【００３２】
このようにフロア２０を二層ずつ順次アスベストＡＳを除去して、アスベストＡＳを地下ヤード１２に集約する。
【００３３】
地下ヤード１２では、アスベストＡＳは、十分な強度を有するプラスチックなどの樹脂製の袋１００に詰めて密閉する。アスベストＡＳが詰められた袋１００は、最終的に地下ヤード１２から搬出し、トラックで産廃施設に運び処理される。
【００３４】
［作用及び効果］
つぎに、本実施形態の作用及び効果について説明する。
【００３５】
フロア２０及びフロア２０に通じるエレベーター５０の昇降路５４を区画養生することで、各フロア２０で除去されたアスベストＡＳを、エレベーター５０を利用して（昇降路５４を介して）、地下ヤード１２に運搬し集約することができる。そして、アスベストＡＳが集約された地下ヤード１２で、アスベストＡＳを樹脂製の袋１００に詰めて密閉する密閉作業を行う。
【００３６】
よって、例えば、アスベストＡＳが除去されたフロア２０の区画管理を早期に解除することができる。したがって、例えば、各フロア２０でアスベストＡＳを袋１００に詰めて密閉する密閉作業を行う場合と比べ、アスベストＡＳの除去作業が効率化される。
【００３７】
また、複数（本実施形態では二層）のフロア２０でアスベストＡＳの除去作業を同時に行うので、アスベストＡＳの除去作業が更に効率化される。
【００３８】
また、各フロア２０に通じるエレベーター５０の昇降路５４の出入口６４を養生する風除室７４の前面を構成する養生シート７０は、開閉可能となっているので、出入りが容易である。
【００３９】
［その他］
尚、本発明は上記実施形態に限定されない。
【００４０】
例えば、上記実施形態では、フロア２０から地下ヤード１２には、アスベストＡＳを台車１０２に積んで運搬したが、これに限定されない。台車１０２以外の容器（例えば、ばけつ）や袋に詰めて運搬してもよい。
【００４１】
また、例えば、上記実施形態では、エレベータピット１５の直上階の地下ヤード１２にアスベストＡＳを集約したが、これに限定されない。地下ヤード１２及び地上のフロア２０のどこに集約してもよい。また、アスベストＡＳを集約するフロアは、一つでなくでもよい。複数のフロアにアスベストＡＳを集約してもよい。
【００４２】
また、例えば、上記実施形態では、複数（本実施形態では二層）のフロア２０で同時アスベストＡＳの除去作業を行ったが、これに限定されない。負圧除塵装置９０の能力によっては、一つのフロア２０ずつアスベストＡＳの除去を行ってもよい。また、複数のエレベーター５０を用いてアスベストＡＳを運搬してもよい。
【００４３】
また、例えば、上記実施形態では、アスベストＡＳの除去に本発明を適用したが、これに限定されるものではない。アスベスト含有吹付けロックウールや吹付けロックウール（岩綿）などの耐火被覆材にも適用できる。或いは、その他アスベストＡＳ以外の有害廃棄物に指定されている被覆物にも本発明を適用することができる。例えば、放射性粒子を含む粉塵の拡散の防止が求められる場合などにも本発明を適用することができる。
【００４４】
また、例えば、上記実施形態では、地下ヤード１２では、アスベストＡＳは、十分な強度を有するプラスチックなどの樹脂製の袋１００に詰めて密閉したが、これに限定されない。樹脂性の袋１００以外の、例えばドラム缶などの堅牢な容器に詰めて密閉してもよい。また、有害廃棄物に応じて適宜、袋や容器を選定すればよい。
【００４５】
更に、本発明の要旨を逸脱しない範囲において種々なる態様で実施し得ることは言うまでもない
【符号の説明】
【００４６】
１０      高層ビル（多層構造物の一例）
１２      地下ヤード（フロアの一例）
２０      フロア
５０      エレベーター
５４      昇降路
６４      出入口
７０      養生シート（養生部材の一例）
１００      袋
ＡＳ      アスベスト（被覆物の一例）
【図１】
2015124480.tif 000003
【図２】
2015124480.tif 000004
【図３】
2015124480.tif 000005
【図４】
2015124480.tif 000006